(57)【特許請求の範囲】
【請求項１】
建物の壁面等の配置面に取り付けられる給水栓と、前記配置面に沿って配管される通水管と、前記給水栓とは別体であってその給水栓に被せられてその給水栓の少なくとも給水栓本体を覆う給水栓カバーと、前記通水管とは別体であってその通水管を覆う通水管カバーとからなる、リフォーム用の給水装置であって、
前記給水栓は、湯水の吐出および遮断を制御するバルブを備える前記給水栓本体と、前記バルブを操作するための操作部と、前記給水栓本体からの湯水が吐出する吐出口と、を有し、
前記給水栓本体は、前記通水管を接続可能とすべく、前記配置面に沿う方向に開口する通水管接続口を備え、
前記給水栓カバーは、表側に前記操作部が現れるように開口する第１開口部と、表側に少なくとも前記吐出口の先端部分が現れるように開口する、または前記吐出口からの湯水の吐出を妨げないように開口する第２開口部とを備え、かつ、前記通水管カバーを接続可能な、通水管カバー接続口を備える、給水装置。
【請求項２】
前記通水管接続口と前記通水管カバー接続口とは、複数設けられている、請求項１に記載の給水装置。
【請求項３】
前記複数の通水管カバー接続口は、前記通水管が接続されていない前記通水管接続口を覆う補助カバーを取付可能に形成されている、請求項２に記載の給水装置。
【請求項４】
前記操作部は、前記給水栓本体から、前記配置面に沿う方向に進むにつれて前記配置面から離れるように斜め方向に、突出して設けられている、請求項１ないし３のいずれか１項に記載の給水装置。
【請求項５】
前記給水栓本体は、前記配置面に取り付けられるべく、前記配置面に固定される固定部を備える、請求項１ないし４のいずれか１項に記載の給水装置。
【請求項６】
前記固定部は、前記給水栓本体の背部側に設けられて、前記配置面に当接する座面を備えた固定座からなる、請求項５に記載の給水装置。
【請求項７】
前記給水栓カバーは、その給水栓カバーを前記給水栓に取り付けるための取付部を備える、請求項５または６に記載の給水装置。
【請求項８】
前記取付部は、前記給水栓の前記固定部に掛け止められる被掛止部からなる、請求項７に記載の給水装置。
【請求項９】
前記給水栓カバーは、前記給水栓を支持するようにして前記配置面に取り付けられるべく、背部側に、前記配置面に固定される固定部を備える、請求項１ないし４のいずれか１項に記載の給水装置。
【発明の詳細な説明】
【０００１】
【発明の属する技術分野】
この発明は、特にリフォームに好適に用いられる、給水装置に関するものである。
【０００２】
【従来の技術】
従来、例えば、建物の壁内に埋設された既設の給水湯配管が老朽化し、新規に給水湯配管を設備するような、リフォーム用給水湯配管に関するものとして、実公平７−８６０９号に示される配管設備があった。この配管設備は、給水管にエルボー（継手）の一端側を接続して、その給水管を配置面としての壁面に沿って配管するとともに、エルボー（継手）を壁面に固定し、その後、壁面から手前側に延びる、エルボー（継手）の他端側に、給水栓を接続する構造であった。
【０００３】
【発明が解決しようとする課題】
ところで、前記従来の配管設備にあっては、リフォーム前の、壁内に埋設等された継手に給水栓を接続する場合と比べて、少なくとも継手の大きさ分、壁面からの給水栓の突出量が大きくなってしまった。これにより、給水栓が邪魔となったり、湯水の吐出位置が、リフォーム前とずれて、湯水の使用が行い難くなったり、さらには、既設のシンクと位置が合わなくなったりする虞が生じた。
【０００４】
この発明は、上記した従来の欠点を解決するためになされたものであり、その目的とするところは、配置面からの突出量を小さくすることができる、給水装置を提供することにある。
【０００５】
【課題を解決するための手段】
この発明に係る給水装置は、前記目的を達成するために、次の構成からなる。すなわち、
請求項１に記載の発明に係る給水装置は、建物の壁面等の配置面に取り付けられる給水栓と、前記配置面に沿って配管される通水管と、前記給水栓とは別体であってその給水栓に被せられてその給水栓の少なくとも給水栓本体を覆う給水栓カバーと、前記通水管とは別体であってその通水管を覆う通水管カバーとからなる、リフォーム用の給水装置である。ここで、前記給水栓は、湯水の吐出および遮断を制御するバルブを備える前記給水栓本体と、前記バルブを操作するための操作部と、前記給水栓本体からの湯水が吐出する吐出口と、を有する。そして、前記給水栓本体は、前記通水管を接続可能とすべく、前記配置面に沿う方向に開口する通水管接続口を備える。また、前記給水栓カバーは、表側に前記操作部が現れるように開口する第１開口部と、表側に少なくとも前記吐出口の先端部分が現れるように開口する、または前記吐出口からの湯水の吐出を妨げないように開口する第２開口部とを備え、かつ、前記通水管カバーを接続可能な、通水管カバー接続口を備える。
【０００６】
こうして、給水栓は、給水栓本体と、その給水栓本体に備わるバルブを操作するための操作部と、湯水が吐出する吐出口とを有している。ここで、給水栓は、建物の壁面等の配置面に取り付けられる。そして、給水栓本体は、配置面に沿う方向に開口する通水管接続口を備えており、この通水管接続口に、配置面に沿って配管される通水管が接続される。このように、給水栓本体における通水管接続口が、配置面に沿う方向に開口することから、その配置面に沿う方向で、通水管を接続することができ、したがって、配置面に沿う方向から手前側を向く方向に配管路を変更する継手を必要とせず、配置面からの、給水栓本体つまりは給水栓の突出量が小さくなる。また、給水栓カバーは、給水栓に被せられて、少なくとも給水栓本体を覆う。そして、給水栓カバーは、通水管カバー接続口を備えており、その通水管カバー接続口に、通水管を覆う通水管カバーが接続される。なお、この明細書で「湯水」とは、水または湯、あるいは、水と湯との混合水を意味する（以下同様）。
【０００７】
また、請求項２に記載の発明に係る給水装置のように、請求項１に記載の給水装置において、前記通水管接続口と前記通水管カバー接続口とは、複数設けられてもよい。これにより、給水栓において、一の通水管から供給される湯水を、他の通水管側と、この給水栓の吐出口側とに分岐させたり、あるいは、複数の通水管から供給される湯水を、この給水栓で合流させて吐出口から吐出させたりすることが可能となる。
また、請求項３に記載の発明に係る給水装置のように、請求項２に記載の給水装置において、前記複数の通水管カバー接続口は、前記通水管が接続されていない前記通水管接続口を覆う補助カバーを取付可能に形成されてもよい。このように、給水栓における通水管接続口に通水管が接続されない場合には、給水栓カバーにおける、対応する通水管カバー接続口に取り付けられる補助カバーによって、通水管接続口が覆われる。
また、請求項４に記載の発明に係る給水装置のように、請求項１ないし３のいずれか１項に記載の給水装置において、前記操作部は、前記給水栓本体から、前記配置面に沿う方向に進むにつれて前記配置面から離れるように斜め方向に、突出して設けられるのが望ましい。このように、給水栓は、その操作部が、給水栓本体から、配置面に沿う方向に進むにつれて配置面から離れるように斜め方向に突出するので、配置面からの給水栓本体の突出量が小さい場合でも、操作部を操作する手が配置面にあたりにくい。
【０００８】
また、請求項５に記載の発明に係る給水装置のように、請求項１ないし４のいずれか１項に記載の給水装置において、前記給水栓本体は、前記配置面に取り付けられるべく、前記配置面に固定される固定部を備えてもよい。これにより、この給水栓本体は、その固定部が配置面に固定されることで、この給水栓本体、すなわち給水栓は、その配置面に取り付けられる。
【０００９】
また、請求項６に記載の発明に係る給水装置のように、請求項５に記載の給水装置において、前記固定部は、前記給水栓本体の背部側に設けられて、前記配置面に当接する座面を備えた固定座からなってもよい。このように、固定部は、配置面に当接する座面を備えた固定座からなることから、給水栓本体は、配置面に安定して取り付けられる。
【００１０】
【００１１】
【００１２】
【００１３】
【００１４】
【００１５】
また、請求項７に記載の発明に係る給水装置のように、請求項５または６に記載の給水装置において、前記給水栓カバーは、その給水栓カバーを前記給水栓に取り付けるための取付部を備えてもよい。これにより、この給水栓カバーは、取付部によって、給水栓に取り付けられ、そして、給水栓が配置面に取り付けられることから、給水栓カバーは、給水栓を介して配置面に取り付けられることとなる。
【００１６】
また、請求項８に記載の発明に係る給水装置のように、請求項７に記載の給水装置において、前記取付部は、前記給水栓の前記固定部に掛け止められる被掛止部からなってもよい。
【００１７】
また、請求項９に記載の発明に係る給水装置のように、請求項１ないし４のいずれか１項に記載の給水装置において、前記給水栓カバーは、前記給水栓を支持するようにして前記配置面に取り付けられるべく、背部側に、前記配置面に固定される固定部を備えてもよい。
【００１８】
こうして、給水栓カバーは、その背部側の固定部が配置面に固定されることで、配置面に取り付けられる。そして、配置面に取り付けられたこの給水栓カバーによって、給水栓が支持される。したがって、この給水栓は、給水栓カバーを介して配置面に取り付けられることとなる。
【００１９】
【００２０】
【発明の実施の形態】
以下、この発明の実施の形態を図面に基づいて説明する。
【００２１】
図１ないし図６は、本発明の一実施の形態を示す。図中符号１は、建物における壁面等の配置面としての、例えば台所の流し台回りの壁面である。２は、前記壁面１に取り付けられる給水栓である。３は、給水栓２に被せられて、後述する給水栓本体５を覆う給水栓カバーである。４は、給水栓カバー装置であり、前記給水栓カバー３と後述する通水管カバー１０とからなる。
【００２２】
ここで、給水栓２は、湯水（すなわち、水または湯、あるいは、水と湯との混合水）の吐出および遮断を制御するバルブを備える給水栓本体５と、前記バルブを操作するための操作部としてのハンドル６と、給水栓本体５からの湯水が吐出する吐出口としての吐水管７と、を有する。そして、給水栓本体５は、前記壁面１に沿って配管される通水管８を接続可能とすべく、壁面１に沿う方向に開口する通水管接続口５ａを備えている。そして、この通水管接続口５ａは、複数（図示実施の形態においては二つ）設けられている。また、給水栓本体５は、壁面１に取り付けられるべく、壁面１に固定される固定部９を備えている。そして、この固定部９は、給水栓本体５の背部側に設けられて、壁面１に当接する座面９ｂを備えた固定座９ａからなる。
【００２３】
具体的には、給水栓本体５は、例えば鋳造により、一体成形されたボディ５ｂを備えている。そして、このホディ５ｂの上部から、例えば手前上方に向かって、前記バルブのスピンドル５ｃの先端部分が露出している。そして、このスピンドル５ｃの先端部分に、前記バルブを操作するための操作部としての前記ハンドル６が取り付けられる。詳細には、このハンドル６は、給水栓本体５から、壁面１に沿う方向（図示実施の形態においては、壁面１に沿う方向としての上方）に進むにつれて壁面１から離れるように（すなわち、室内側に向かうように）斜め方向に、突出して設けられている。また、ボディ５ｂの下部には、吐出口としての前記吐水管７が接続されている。また、ボディ５ｂには、左右の各側に突出するようにして、前記通水管接続口５ａ、５ａが形成されている。詳細には、この通水管接続口５ａには、ねじ部（詳細には雄ねじ）が螺設されており、そのねじ部に通水管８が螺合するようになっている。そして、図示実施の形態においては、通水管８は、給水管８ａと、直状の継手８ｂとからなる。そして、給水管８ａに継手８ｂの一端側が接続され、その継手８ｂの他端側が、給水栓２における通水管接続口５ａに接続される。また、ボディ５ｂの背部側には、前記固定座９ａが一体に形成されている。そして、この固定座９ａには、給水栓本体５、すなわち給水栓２を壁面１に取り付けるために、ビスＶ、Ｖが挿入される取付孔９ｃ、９ｃが明けられている。さらに、固定座９ａの端縁には、凹部９ｄが形成されている。詳細には、この凹部９ｄは、固定座９ａの上端と下端に設けられており、背面側に開口して、座面９ｂから一段控えて段状に形成されている。
【００２４】
給水栓カバー３は、表側にハンドル６が現れるように開口する第１開口部３ａと、表側に少なくとも吐水管７の先端部分が現れるように開口する第２開口部３ｂとを備えている。また、給水栓カバー３は、前記通水管８、８を覆う通水管カバー１０、１０を接続可能な、通水管カバー接続口３ｃ、３ｃを備えている。
【００２５】
具体的には、給水栓カバー３は、給水栓本体５の手前側を覆い、背部側は、開放している。そして、この給水栓カバー３の背部側が、壁面１に接する。第１開口部３ａは、給水栓カバー３の上面３ｄから前面３ｅに移る傾斜面３ｆに、内外を貫通して形成された、例えば円形の孔からなる。第２開口部３ｂは、給水栓カバー３の下面３ｇに、内外を貫通するとともに背部側に開放し、また、その周縁部がリブ状に突出して形成されている。そして、この第２開口部３ｂからは、吐水管７のほぼ全体が現れている。
【００２６】
通水管カバー接続口３ｃは、給水栓カバー３の側面に、内外を貫通するとともに背部側に開放して、周縁部がリブ状に突出して形成されている。そして、この通水管カバー接続口３ｃは、通水管接続口５ａと対応するように、複数（図示実施の形態においては二つ）設けられている。ここにおいて、通水管カバー接続口３ｃには、係合部３ｉが設けられており、この通水管カバー接続口３ｃに通水管カバー１０が接続される際に、この係合部３ｉが、通水管カバー１０に設けられた被係合部１０ａと係合する。詳細には、係合部３ｉは、通水管カバー接続口３ｃの内側に突出する突条からなり、また、被係合部１０ａは、その突条が嵌まる溝からなる。
【００２７】
また、給水栓カバー３は、その給水栓カバー３を給水栓２に取り付けるための取付部３ｊを備えている。ここで、取付部３ｊは、給水栓２の固定座９ａに掛け止められる被掛止部Ｋからなっている（図２参照）。詳細には、被掛止部Ｋは、給水栓カバー３の背部から内側に突出して形成されており、この被掛止部Ｋが、固定座９ａの凹部９ｄに嵌まるようにして、その固定座９ａに掛け止められる。
【００２８】
ところで、通水管カバー１０は、前記給水管８ａを覆う給水管カバー１０ｂと、前記継手８ｂを覆う継手カバー１０ｃとからなる。そして、給水管カバー１０ｂに継手カバー１０ｃの一端側が接続され、その継手カバー１０ｃの他端側が、給水栓カバー３の通水管カバー接続口３ｃに、前記被係合部１０ａと前記係合部３ｉが係合するようにして接続される。ここにおいて、給水管カバー１０ｂは、壁面１に固定される基台１０ｄと、給水管８ａを覆うようにして、基台１０ｄに取り付けられる蓋体１０ｅとからなる。そして、継手カバー１０ｃは、継手８ｂの手前側を覆い、その継手カバー１０ｃの背部側は、開放している。そして、この継手カバー１０ｃの背部側が、壁面１に接する。
【００２９】
また、複数の通水管カバー接続口３ｃ、３ｃは、通水管８が接続されていない通水管接続口５ａを覆う補助カバー１１を取付可能に形成されている。詳細には、図５に示すように、通水管８（詳細には、継手８ｂ）が接続されていない通水管接続口５ａには、湯水が漏れないように、栓としての閉塞キャップ１２が取り付けられ、この閉塞キャップ１２とともに通水管接続口５ａが、補助カバー１１によって覆われることとなる。そして、補助カバー１１には、被係合部１１ａが設けられており、通水管カバー接続口３ｃに補助カバー１１が取り付けられる際に、通水管カバー接続口３ｃの係合部３ｉが、補助カバー１１の被係合部１１ａと係合する。そして、この補助カバー１１の被係合部１１ａは、通水管カバー１０の被係合部１０ａと同様に、給水栓カバー３の係合部３ｉとなる突条が嵌まる溝からなっている。
【００３０】
次に、以上の構成からなる給水栓２、給水栓カバー３、および給水栓カバー装置４の作用効果について説明する。給水栓２においては、給水栓本体５の背部側の固定座９ａが壁面１に固定されることで、この給水栓本体５、すなわち給水栓２は、その壁面１に取り付けられる。そして、給水栓本体５は、壁面１に沿う方向に開口する通水管接続口５ａを備えており、この通水管接続口５ａに、壁面１に沿って配管される通水管８が接続される。このように、給水栓本体５における通水管接続口５ａが、壁面１に沿う方向に開口することから、その壁面１に沿う方向で、通水管８を接続することができる。したがって、壁面１に沿う方向から手前側を向く方向に配管路を変更する継手（エルボーとかチーズ）を必要とせず、壁面１からの、給水栓本体５つまりは給水栓２の突出量が小さくなる。そして、このように壁面１からの給水栓２の突出量を小さくできることから、この給水栓２は、使用にあたってそれほど邪魔になることはない。その上、この給水栓２をリフォームに用いる場合であっても、壁面１からの給水栓２の突出量を小さくできることから、湯水の吐出位置が、リフォーム前とそれほどずれることなく、湯水の使用に支障をきたすこともなく、また、既設のシンクと位置が合わなくなることもない。そして、給水栓本体５の固定部９は、壁面１に当接する座面９ｂを備えた固定座９ａからなることから、給水栓本体５、すなわち給水栓２は、壁面１に安定して取り付けられる。
【００３１】
そして、給水栓２は、そのハンドル６が、給水栓本体５から、壁面１に沿う方向（図示実施の形態においては、壁面１に沿う方向としての上方）に進むにつれて壁面１から離れるように（すなわち、室内側に向かうように）斜め方向に突出するので、壁面１からの給水栓本体５の突出量が小さい場合でも、ハンドル６を操作する手が壁面１にあたりにくい。したがって、このように壁面１からの給水栓本体５の突出量が小さい場合でも、壁面１に邪魔されることなく、ハンドル６を操作することができる。
【００３２】
さらに、給水栓２は、通水管接続口５ａが複数（図示実施の形態においては二つ）設けられることから、一の通水管８から供給される湯水を、他の通水管８側と、この給水栓２の吐水管７側とに分岐させることができる。その他の使用例としては、複数の通水管８、８から供給される湯水を、この給水栓２で合流させて吐水管７から吐出させたりすることが可能となる。すなわち、この給水栓２を湯水混合水栓とし、その湯水混合水栓に、一の通水管８から水を供給し、他の通水管８から湯を供給することで、吐水管７から、水と湯との混合水を吐出させることができる。
【００３３】
また、給水栓カバー３は、給水栓２に被せられて、給水栓本体５を覆っている。この給水栓カバー３は、通水管カバー接続口３ｃを備えており、その通水管カバー接続口３ｃに、前記通水管８を覆う通水管カバー１０が接続される。そして、前述のように、給水栓２は、壁面１からの突出量が小さく、給水栓２に被せられるこの給水栓カバー３においても、壁面１からの突出量を小さくすることができる。そして、このように壁面１からの給水栓カバー３の突出量を小さくできることから、この給水栓カバー３は、使用にあたってそれほど邪魔になることはない。また、このように、給水栓カバー３によって、給水栓本体５が覆われることから、給水栓本体５（ボディ５ｂ）は、表面処理を必要とせず、例えば、鋳肌の状態のままであっても構わない。
【００３４】
そして、この給水栓カバー３が、取付部３ｊによって給水栓２に取り付けられ、そして、給水栓２が、固定座９ａによって壁面１に取り付けられることから、この給水栓カバー３は、給水栓２を介して壁面１に取り付けられることとなる。
【００３５】
また、給水栓カバー３と通水管カバー１０とからなる給水栓カバー装置４においても、給水栓カバー３と同様に、壁面１からの突出量が小さくなる。そして、このように壁面１からの給水栓カバー装置４の突出量を小さくできることから、この給水栓カバー装置４は、使用にあたってそれほど邪魔になることはない。
【００３６】
ところで、給水栓２における通水管接続口５ａに通水管８が接続されない場合には、その通水管接続口５ａには、湯水が漏れないように閉塞キャップ１２が取り付けられる。そして、給水栓カバー３においては、対応する通水管カバー接続口３ｃに補助カバー１１が取り付けられ、その補助カバー１１により、閉塞キャップ１２とともに通水管接続口５ａが覆われる。
【００３７】
なお、本発明は、上述した実施の形態に限定されるわけではなく、その他種々の変更が可能である。例えば、給水栓２における固定部９は、固定座９ａからなっているが、図７に示すように、通水管接続口５ａが固定部９を兼ねる等、固定部９は必ずしも固定座９ａからならなくともよい。図示実施の形態においては、固定部９を兼ねる通水管接続口５ａには、雌ねじＭが螺設されており、その雌ねじＭに通水管８の雄ねじ（図示せず）が螺合することとなる。そして、固定部９は、その固定部９を止めるサドルＳを介して、壁面１に固定されている。
【００３８】
また、さらには、給水栓本体５は、固定部９を備えなくともよい。すなわち、例えば、給水栓本体５に接続される通水管８が、壁面１に固定されることで、この給水栓本体５が、通水管８を介して、壁面１に取り付けられてもよい。
【００３９】
また、給水栓カバー３は、その給水栓カバー３を給水栓２に取り付けるための取付部３ｊを備えているが、この取付部３ｊの替わりに、給水栓カバー３は、給水栓２を支持するようにして配置面としての壁面１に取り付けられるべく、背部側に、前記壁面１に固定される固定部（図示せず）を備えていてもよい。こうして、給水栓カバー３は、その背部側の固定部が壁面１に固定されることで、その壁面１に取り付けられる。そして、壁面１に取り付けられたこの給水栓カバー３によって、給水栓２が支持される。よって、この給水栓２は、給水栓カバー３を介して壁面１に取り付けられる。したがって、この場合には、給水栓２における固定部９となる固定座９ａは、無くともよい。
【００４０】
また、通水管接続口５ａは、二つ設けられているが、一つであってもよく、また、三つ以上であってもよい。また、通水管接続口５ａは、ボディ５ｂにおける左右の各側に形成されているが、壁面１に沿う方向に開口しているのであれば、上部あるいは下部等、その他の側に形成されていてもよい。そして、通水管８を構成する継手８ｂは、直状となって壁面１に沿って配管されるが、壁面１に沿うのであれば、直状ではなく曲がっていてもよい。
【００４１】
また、給水栓カバー３において、第２開口部３ｂは、表側に少なくとも吐水管７の先端部分が現れるように開口していなくとも、吐水管７からの湯水の吐出を妨げないように開口するものであってもよい。すなわち、第２開口部３ｂは、吐水管７から吐出している湯水部分で開口していてもよい。
【００４２】
【発明の効果】
以上、詳述したところから明らかなように、この発明に係る給水装置によれば、次の効果がある。
【００４３】
請求項１に記載された給水装置によれば、給水栓において、通水管接続口が、配置面に沿う方向に開口することから、その配置面に沿う方向で、通水管を接続することができ、配置面に沿う方向から手前側を向く方向に配管路を変更する継手を必要としないので、配置面からの突出量を小さくすることができる。さらに、給水栓が、配置面からの突出量が小さいため、給水栓に被せられる給水栓カバーにおいても、配置面からの突出量を小さくすることができる。そして、このように配置面からの給水栓および給水栓カバーの突出量を小さくできることから、この給水栓および給水栓カバーは、使用にあたってそれほど邪魔になることはない。その上、配置面からの給水栓の突出量を小さくできることから、湯水の吐出位置が、リフォーム前とそれほどずれることなく、湯水の使用に支障をきたすこともない。
【００４４】
また、請求項２に記載された給水装置によれば、請求項１の効果に加えて、給水栓には、通水管接続口が複数設けられているので、一の通水管から供給される湯水を、他の通水管側と、この給水栓の吐出口側とに分岐させたり、あるいは、複数の通水管から供給される湯水を、この給水栓で合流させて吐出口から吐出させたりすることが可能となる。
また、請求項３に記載された給水装置によれば、請求項２の効果に加えて、給水栓における通水管接続口に通水管が接続されない場合には、給水栓カバーにおける、対応する通水管カバー接続口に取り付けられる補助カバーによって、通水管接続口を覆うことができる。
また、請求項４に記載された給水装置によれば、請求項１ないし３のいずれか１項の効果に加えて、給水栓の操作部が、給水栓本体から、配置面に沿う方向に進むにつれて配置面から離れるように斜め方向に突出するので、配置面からの給水栓本体の突出量が小さい場合でも、配置面に邪魔されることなく、操作部を操作することができる。
【００４５】
また、請求項５に記載された給水装置によれば、請求項１ないし４のいずれか１項の効果に加えて、給水栓本体は、配置面に固定される固定部を備えているので、その固定部が配置面に固定されることで、この給水栓本体、すなわち給水栓を配置面に取り付けることができる。
【００４６】
また、請求項６に記載された給水装置によれば、請求項５の効果に加えて、配置面に取り付けるための固定部が、配置面に当接する座面を備えた固定座からなることから、給水栓本体は、配置面に安定して取り付けられる。
【００４７】
【００４８】
【００４９】
【００５０】
また、請求項７および８に記載された給水装置によれば、請求項５または６の効果に加えて、給水栓カバーが、取付部によって、給水栓に取り付けられ、そして、給水栓が配置面に取り付けられることから、この給水栓カバーを、給水栓を介して配置面に取り付けることができる。
【００５１】
また、請求項９に記載された給水装置によれば、請求項１ないし４のいずれか１項の効果に加えて、給水栓カバーが、給水栓を支持するようにして配置面に取り付けられることから、この給水栓カバーを介すことで、給水栓を配置面に取り付けることができる。
【図面の簡単な説明】
【図１】  この発明の一実施の形態の、平断面図である。
【図２】  同じく、側断面図である。
【図３】  同じく、斜視図である。
【図４】  同じく、給水栓のハンドルを外した状態の斜視図である。
【図５】  同じく、補助カバーを取り付けた状態の平断面図である。
【図６】  同じく、補助カバーを取り付けた状態の斜視図である。
【図７】  この発明の他の実施の形態の、図４相当図である。
【符号の説明】
１  壁面（配置面）                ２  給水栓
３  給水栓カバー                  ３ａ  第１開口部
３ｂ  第２開口部                  ３ｃ  通水管カバー接続口
３ｊ  取付部                      ４  給水栓カバー装置
５  給水栓本体                    ５ａ  通水管接続口
６  ハンドル（操作部）            ７  吐水管（吐出口）
８  通水管                        ９  固定部
９ａ  固定座                      ９ｂ  座面
１０  通水管カバー                １１  補助カバー
Ｋ  被掛止部
【図１】
0004053816.tif 000002
【図２】
0004053816.tif 000003
【図３】
0004053816.tif 000004
【図４】
0004053816.tif 000005
【図５】
0004053816.tif 000006
【図６】
0004053816.tif 000007
【図７】
0004053816.tif 000008